(57)【特許請求の範囲】
【請求項１】
電気機器を収納する本体フレームと、本体フレームの開口部を覆う扉とを備え、本体フレームに開口部を囲む開口枠を設け、開口枠を左右一対の縦枠と上下一対の横枠とで全開額縁状に形成し、扉の裏面に該扉を閉じた状態で開口枠の内側に入り込む補強部材を突設し、補強部材が上側の横枠に係合する上係合部と、下側の横枠に係合する下係合部と、上下の係合部の間を延びる補強部とを含むことを特徴とするキャビネットラック。
【請求項２】
上側の横枠に上係合部を係止する上係止部を設け、下側の横枠に下係合部を係止する下係止部を設けた請求項１記載のキャビネットラック。
【請求項３】
補強部材が扉の裏面を縦方向に延びる補強枠を含み、補強枠に上係合部と下係合部と補強部とを一体的に設けた請求項１又は２記載のキャビネットラック。
【請求項４】
補強部材が扉の裏面を覆うダクトを含み、ダクトを補強部として用い、ダクトの上面に上係合部を設け、ダクトの下面に下係合部を設けた請求項１又は２記載のキャビネットラック。
【発明の詳細な説明】
【技術分野】
【０００１】
本発明は、電気機器を収納するキャビネットラックに関する。
【背景技術】
【０００２】
従来、本体フレームの開口部を内側に補強枠を備えない全開額縁状の開口枠で囲み、１９インチのサーバ機器やＬＡＮ機器等の大型機器を開口部から容易に出し入れできるように構成したキャビネットラックが知られている。しかし、この種のラックは横方向に揺れやすいため、従来、本体フレームの剛性を強化して耐震性能を高める各種の技術が提案されている。
【０００３】
例えば、特許文献１には、本体フレームの左右の側壁部分を内外二重のフレーム構造とする技術が記載されている。特許文献２には、本体フレームの縦枠に断面強度の大きな多重曲げフレームを用いる技術が記載されている。その他、本体フレーム各所の接合部に補強部品を添設した技術も知られている。
【特許文献１】特開２００３−０９３１７０号公報
【特許文献２】特開２００２−１５８４７１号公報
【発明の開示】
【発明が解決しようとする課題】
【０００４】
ところが、従来のキャビネットラックは、本体フレームの構造を改変することによってラックの耐震性能を高めているので、本体フレームを構成する部材の数が増え、重量が嵩むうえ、組付工数が増加して、製作コストが高くつくという問題点があった。
【０００５】
本発明の目的は、扉を利用して本体フレームの剛性を強化することで、耐震性能に優れた本体フレームを軽量かつ安価に構成することができるキャビネットラックを提供することにある。
【課題を解決するための手段】
【０００６】
上記の課題を解決するために、本発明のキャビネットラックは、電気機器を収納する本体フレームと、本体フレームの開口部を覆う扉とを備え、本体フレームに開口部を囲む開口枠を設け、開口枠を左右一対の縦枠と上下一対の横枠とで全開額縁状に形成し、扉の裏面に該扉を閉じた状態で開口枠の内側に入り込む補強部材を突設し、補強部材が上側の横枠に係合する上係合部と、下側の横枠に係合する下係合部と、上下の係合部の間を延びる補強部とを含むことを特徴とする。
【０００７】
上記キャビネットラックにおいて、好ましくは、次の手段を採用できる。
（１）上側の横枠に上係合部を係止する上係止部を設け、下側の横枠に下係合部を係止する下係止部を設けること。係止部の形状は、特に限定されず、本体フレームの開口枠に対し扉側の補強部材を横方向へ移動不能に結合する各種の形状を採用できる。例えば、係止部として、切欠、穴、凹部、凸部等を挙げることができる。
【０００８】
（２）補強部材が扉の裏面を縦方向に延びる補強枠を含み、補強枠に上係合部と下係合部と補強部とを一体的に設けること。補強枠の形状は、特に限定されないが、扉を軽量化できる点で、細長の枠材を使用するのが好ましい。例えば、補強枠として、断面ハット形、断面コ字形、断面Ｌ字形、断面Ｈ形等の型材、又は、角パイプや円筒パイプ等の中空材、あるいは、丸棒や角棒等の中実材を使用できる。補強枠の本数は、少なくとも一本、好ましくは、二本又は三本を例示できる。
【０００９】
（３）補強部材が扉の裏面を覆うダクトを含み、ダクトを補強部として用い、ダクトの上面に上係合部を設け、ダクトの下面に下係合部を設けること。この構成によれば、送風用又は配線用のダクトを本体フレームの補強に兼用できる利点がある。ダクトの形状は、特に限定されないが、送風用ダクトの場合は、本体フレーム内の隅々まで換気又は冷却用の空気を送風できる点で、扉のほぼ全域を覆う薄箱形であるのが好ましい。また、送風ダクトの場合、ダクトに接続される送風ユニットは、本体フレームの内部に設置してもよく、本体フレームの外部に設置してもよい。上下の係合部は、ダクトと一体に形成してもよく、ダクトと別体の部材を用いてもよい。
【発明の効果】
【００１０】
本発明のキャビネットラックによれば、扉を閉じたときに、扉側の補強部材が本体フレーム側の開口枠の内側に入り込み、補強部材の上下の係合部が開口枠の上下の横枠に係合する。この状態では、補強部材が本体フレーム側の構造材として開口枠を補強するので、本体フレームの構造を改変しなくても、閉じた状態の扉を利用して本体フレームの剛性を強化できる。従って、本体フレームを少数の部材で軽量に構成できるとともに、少ない工数で安価に製作できるという優れた効果が得られる。
【発明を実施するための最良の形態】
【００１１】
以下、本発明を実施するための最良の形態を図面に基づいて説明する。図１〜図４は実施例１のキャビネットラックを示し、図５〜図８は実施例２のキャビネットラックを示す。各図において、同一の符号は同一又は類似する部材を示す。
【実施例１】
【００１２】
実施例１のキャビネットラック１は、電気機器を収納する本体フレーム２と、本体フレーム２の開口部３を覆う扉４とを備えている。本体フレーム２は、開口部３を囲む開口枠５と、開口枠５の背後に位置する後枠６と、開口枠５と後枠６とを連結する四本の連結枠７とで縦長の四角箱形に構成され、開口枠５を除く五つの面が外装パネル（図示略）によって覆われている。開口枠５は、左右一対の縦枠８，９と上下一対の横枠１０，１１とから全開額縁状に形成され、１９インチ機器を開口部３を通して本体フレーム２の内外に容易に出し入れできるようになっている。
【００１３】
扉４の前面には、縦長の点検窓１３と上下一対の喚起口１４とが設けられている。扉４の裏面には、点検窓１３を塞ぐ透明板１５と、透明板１５の左右両側を縦方向に延びる二本の補強枠１６（図２参照）とが設けられている。補強枠１６は、断面ハット形の形鋼で細長に形成され、本体フレーム２側へ突出するように扉４の裏面に固着されている。そして、扉４を閉じた状態で、二本の補強枠１６が開口枠５の内側に入り込み（図４参照）、本体フレーム２の横方向の揺れを防止する補強部材として機能するようになっている。
【００１４】
補強枠１６には、開口枠５の上横枠１０に下側から係合する上係合部１６ａと、開口枠５の下横枠１１に上側から係合する下係合部１６ｂと、上下の係合部１６ａ，１６ｂの間を延びる補強部１６ｃとが一体的に設けられている。一方、上横枠１０には補強枠１６の上係合部１６ａを嵌合により係止する左右一対の上係止部１７（図３参照）が切欠形成され、下横枠１１に下係合部１６ｂを嵌合により係止する左右一対の下係止部１８が切欠形成されている。なお、補強枠１６の上下両端面には、係合部１６ａ，１６ｂを係止部１７，１８の内側に嵌入案内するための傾斜面１９が形成されている。
【００１５】
上記構成のキャビネットラック１において、扉４を閉じると、補強枠１６が開口枠５の内側に入り込み、上下の係合部１６ａ，１６ｂが横枠１０，１１の係止部１７，１８に嵌合する。この状態では、補強枠１６が本体フレーム２側の構造材として開口枠５を補強するので、本体フレーム２を改造することなくその剛性を強化できる。従って、本体フレーム２を少数の部材で軽量かつ安価に構成することができる。また、補強枠１６に細長材を用いたので、軽量な扉４によって本体フレーム２の耐震性能を向上できる利点もある。
【実施例２】
【００１６】
実施例２のキャビネットラック２１は、扉４の裏面に送風ダクト２２（図６参照）を備え、このダクト２２を補強部材として用いている。送風ダクト２２は、扉４のほぼ全域を覆う薄箱形に板金成形され、本体フレーム２と対向する面に穴開きプレート２３を備えている。穴開きプレート２３には、その全域に上側ほど大径となる多数の通気穴２４が形成されるとともに、下端部に空気取入口２５が開設されている。本体フレーム２の底部には送風ユニット２６（図５参照）が設置され、扉４の閉鎖状態で、送風ユニット２６の嘴形の送風口２７が穴開きプレート２３の空気取入口２５に挿入するようになっている。
【００１７】
送風ダクト２２の上面には左右一対の上係合爪２９が取り付けられ、送風ダクト２２の下面に左右一対の下係合爪３０（図７に一つを示す）が取り付けられている。各係合爪２９，３０は、金属又は樹脂材料で送風ダクト２２とは別体に形成され、ネジ又は溶接等の手段によって送風ダクト２２に接合固定されている。そして、扉４を閉じた状態で、送風ダクト２２と係合爪２９，３０とが開口枠５の内側に入り込み（図８参照）、本体フレーム２の横方向の揺れを防止する補強部材として機能するようになっている。
【００１８】
本体フレーム２の開口枠５には、実施例１と同様、上横枠１０に上係合爪２９を嵌合により係止する左右一対の上係止部１７が切欠形成され、下横枠１１に下係合爪３０を嵌合により係止する左右一対の下係止部１８が切欠形成されている。なお、係合爪２９，３０には、係止部１７，１８に嵌入しやすくするための傾斜面２９ａ，３０ａが形成されている。
【００１９】
上記構成のキャビネットラック２１によれば、扉４の閉鎖状態で、送風ダクト２２と係合爪２９，３０とが本体フレーム２側の構造材として開口枠５を補強するので、実施例１と同様、本体フレーム２を改造することなくその剛性を強化できる。特に、換気又は冷却用の送風ダクト２２を補強部材の補強部として兼用したので、送風ダクト２２に係合爪２９，３０を取り付けるだけの簡単な改良によって扉４の機能性を高めることができる。また、送風ダクト２２の通気穴２４を上側ほど大径に形成したので、本体フレーム２内の隅々まで送風できる利点もある。
【図面の簡単な説明】
【００２０】
【図１】本発明の実施例１を示すキャビネットラックの斜視図である。
【図２】該ラックの扉を裏面側から示す斜視図である。
【図３】該ラックの補強構造を示す斜視図である。
【図４】該ラックの補強構造を示す断面図である。
【図５】本発明の実施例２を示すキャビネットラックの斜視図である。
【図６】該ラックの扉を裏面側から示す斜視図である。
【図７】該ラックの補強構造を示す斜視図である。
【図８】該ラックの補強構造を示す断面図である。
【符号の説明】
【００２１】
１    キャビネットラック（実施例１）
２    本体フレーム
３    開口部
４    扉
５    開口枠
８，９    縦枠
１０    上横枠
１１    下横枠
１６    補強枠
１６ａ    上係合部
１６ｂ    下係合部
１６ｃ    補強部
１７    上係止部
１８    下係止部
２１    キャビネットラック（実施例２）
２２    送風ダクト
２９    上係合爪
３０    下係合爪
【図１】
0004441470.tif 000002
【図２】
0004441470.tif 000003
【図３】
0004441470.tif 000004
【図４】
0004441470.tif 000005
【図５】
0004441470.tif 000006
【図６】
0004441470.tif 000007
【図７】
0004441470.tif 000008
【図８】
0004441470.tif 000009